(57)【特許請求の範囲】
【請求項１】
建物の階と階との境界近傍に設けられ、上下端がそれぞれ上下階方向に延びるとともに前記建物の外壁から外側に突出するボックス本体を備え、このボックス本体の内部には、草花や木を植え込んだ鉢、プランタ等を収容する鉢受け部と、前記ボックス本体の内側と所定寸法の間隙を有しシャッターを収納するシャッターケースとが設けられ、前記鉢受け部は、前記鉢、プランタ等を載せるとともに前記鉢受け部からの水を排出する受け部材と、この受け部材の下方に設けられ前記鉢受け部材からの水を受けて下方に流す水切り部材とを備え、前記鉢受け部の排水は、前記ボックス本体の下部から前記シャッターケースの下部にわたって設けられる排水手段により行われ、この排水手段は、前記水切り部材の下方に設けられ前記シャッターケースの外側の前記間隙を通って落下した水を受ける受け部材と、この受け部材に接続されるとともに前記シャッターケースを構成するシャッターレールに沿って設けられた樋とを有することを特徴とするシャッター内蔵のフラワーボックス。
【請求項２】
請求項ｌに記載のシャッター内蔵のフラワーボックスにおいて、前記受け部材は、前記ボックス本体の幅方向および奥行き方向の寸法とほぼ等しい長さ寸法および幅寸法を有する底面部と、前記建物の外壁側端部に沿って前記底面部から立ち上がった背面部と、この背面部と対向し、かつ、底面部のボックス本体側に立ち上がった前面部と、この前面部と前記背面部とのそれぞれの両端部同士を繋ぐとともに、底面部の長さ方向両端部に立ち上がった側面部とを有する箱状に形成されることを特徴とするシャッター内蔵のフラワーボックス。
【請求項３】
請求項ｌに記載のシャッター内蔵のフラワーボックスにおいて、
前記受け部材は、前記ボックス本体の長手方向に沿った第１部材と、この第１部材の一端に、前記建物の外壁に対向する方向に突出して設けられた第２部材と、で平面Ｌ字状に形成されることを特徴とするシャッター内蔵のフラワーボックス。
【請求項４】
請求項１〜３のいずれかに記載のシャッター内蔵のフラワーボックスにおいて、前記建物は四隅に立設される４本の柱とこれらの柱の上端間同士および下端間同士を結合する各４本の上梁と下梁とを有する骨組みを備えた建物ユニットを複数組み合わせたユニット式建物であり、前記ボックス本体は、前記建物ユニットの製作時の基準寸法であるモジュールに対応していることを特徴とするシャッター内蔵のフラワーボックス。
【請求項５】
請求項１〜３のいずれかに記載のシャッター内蔵のフラワーボックスにおいて、前記ボックス本体は、前記建物の柱に取り付けられていることを特徴とするシャッター内蔵のフラワーボックス。
【請求項６】
請求項１〜５のいずれかに記載のシャッター内蔵のフラワーボックスにおいて、前記受け部材および水切り部材は取付け、取り外し可能であることを特徴とするシャッター内蔵のフラワーボックス。
【請求項７】
請求項１〜６のいずれかに記載のシャッター内蔵のフラワーボックスにおいて、前記ボックス本体は直方体状に形成されていることを特徴とするシャッター内蔵のフラワーボックス。
【発明の詳細な説明】
【０００１】
【発明の属する技術分野】
本発明は、建物に設けられるとともに内部にシャッターケースを取り付けたシャッター内蔵のフラワーボックスに関する。
【０００２】
【背景技術】
建物の室内の窓近傍に、草花、木を植え込んだ鉢や、プランタ等を載せるフラワーボックスを設けることが多く、このことにより、住生活に潤いと変化等を与えている。一方、建物において室内の窓等の開口上方にはシャッターケースが設けられ、そのシャッターケース内には、開口を覆うシャッターが収納されている（特開平８−１９９９４４号公報）。ところで、建物の間取りによっては、このようなフラワーボックスおよびシャッターケースが上下方向に同列に配置されることがある。この場合、フラワーボックスは建物の上階の下部に設けられ、シャッターケースは建物の下階の上部に設けられるので両者は接近している。
【０００３】
【発明が解決しようとする課題】
以上のような従来のフラワーボックスおよびシャッターケースの取付では、上下方向に接近して配置されているにもかかわらず、それぞれを別個に取り付けなければならず、同じような工程を繰り返しすことになり、作業が繁雑となるという問題がある。また、建物の外壁から突出する部位が建物の上階、下階の境界部近傍同一列に２カ所生じることとなり、外観上見映えが悪くなり、すっきりしない。さらに、晴れた日でも、花に水やりした結果フラワーボックスから垂れ落ちる水が、シャッターケースの上部から前部または側部に伝わり、そこから落下するので、例えば室内にいると、気になることもあり好ましくないという問題もある。
【０００４】
本発明の目的は、取付作業が煩雑とならずにすむとともに、外観がすっきりとまとまり、かつ、排水が効率よく行われるようになるシャッター内蔵のフラワーボックスを提供することにある。
【０００５】
【課題を解決するための手段】
本発明の請求項１に記載のシャッター内蔵のフラワーボックス２０は、図面を参照して説明すると、図１、図３および図６に示すように、建物１の階２と階３との境界近傍に設けられ、上下端がそれぞれ上下階方向に延びるとともに建物１の外壁から外側に突出するボックス本体２１を備え、このボックス本体２１の内部には、草花や木を植え込んだ鉢、プランタ等を収容する鉢受け部２２と、ボックス本体２１の内側と所定寸法の間隙を有しシャッター３６を収納するシャッターケース２３とが設けられ、鉢受け部２２は、鉢、プランタ等を載せるとともに鉢受け部２２からの水を排出する受け部材３０と、この受け部材３０の下方に設けられ受け部材３０からの水を受けて下方に流す水切り部材３１を備え、鉢受け部２２の排水は、ボックス本体２１の下部からシャッターケース２３の下部にわたって設けられる排水手段４０により行われ、この排水手段４０は、水切り部材３１の下方に設けられシャッターケース２３の外側の間隙を通って落下した水を受ける受け部材４１と、この受け部材４１に接続されるとともにシャッターケース２３を構成するシャッターレール３７に沿って設けられた樋４２とを有することを特徴とするものである。
【０００６】
以上において、建物の階と階との境界近傍とは、一階と二階との境界、二階と三階との境界およびそれ以上の階における境界を含むものである。また、ボックス本体の形状は、内部が空洞の直方体形状または半円形状等、特に限定されないものである。さらに、本発明のシャッター内蔵のフラワーボックスは、予め工場で生産される柱、梁を有する建物ユニットを現場で組み合わせて建てるユニット式建物に限らず、いわゆるパネル工法による建物、在来工法による建物等に設けることが可能である。
【０００７】
このような本発明では、ボックス本体の内部に鉢受け部と、シャッターケースとが設けられ、このボックス本体を取り付ける作業だけで鉢受け部と、シャッターケースとを同時に取り付けることができる。従って、作業が繁雑とならずにすむとともに、鉢受け部とシャッターケースとがボックス本体で隠されるので、上下に接近した位置で外壁から突出した凹凸部がなくなり、外観がすっきりとまとまった建物とすることができる。
また、鉢受け部からの水は樋を伝って捨てられ、この樋は、シャッターレールに沿って設けられており、花に水やりした結果フラワーボックスから垂れ落ちる水がシャッターケースの上部または側面から自然落下することがなくなるので、晴れた日等に例えば室内にいても気にならなくなる。
【０００８】
本発明の請求項２に記載のシャッター内蔵のフラワーボックスは、図１および図６に示すように、請求項１において、受け部材４１は、ボックス本体２１の幅方向および奥行き方向の寸法とほぼ等しい長さ寸歩および幅寸法を有する底面部４１Ａと、建物１の外壁１４側端部に沿って底面部４１Ａから立ち上がった背面部４１Ｂと、この背面部４１Ｂと対向し、かつ、底面部４１Ａのボックス本体２１側に立ち上がった前面部４１Ｃと、この前面部４１Ｃと背面部４１Ｂとのそれぞれの両端部同士を繋ぐとともに、底面部４１Ａの長さ方向両端部に立ち上がった側面部４１Ｄとを有する箱状に形成されることを特徴とする。
【００１０】
本発明の請求項３に記載のシャッター内蔵のフラワーボックスは、図７に示すように、請求項１において、受け部材５１は、ボックス本体２１の長手方向に沿った第１部材５１Ａと、この第１部材５１Ａの一端に、建物１の外壁に対向する方向に突出して設けられた第２部材５１Ｂと、で平面Ｌ字状に形成されることを特徴とするものである。
【００１１】
このような発明では、受け部材は、シャッターケースの長手方向に沿った第１部材と、第２部材とで形成できるので、製作が容易であるとともに、少ない部材で作れるので材料の節約が可能となるという効果が得られる。
【００１２】
本発明の請求項４に記載のシャッター内蔵のフラワーボックスは、図３に示すように、請求項１〜３のいずれかにおいて、建物は四隅に立設される４本の柱６とこれらの柱６の上端間同士および下端間同士を結合する各４本の上梁７と下梁８とを有する骨組みを備えた建物ユニット２，３を複数組み合わせたユニット式建物１であり、ボックス本体２１は、建物ユニット２，３の製作時の基準寸法であるモジュールに対応していることを特徴とするものである。
【００１３】
このような本発明では、ボックス本体がモジュールに対応しているので、製作が容易となる。
【００１４】
本発明の請求項５に記載のシャッター内蔵のフラワーボックスは、図３に示すように、請求項１〜３のいずれかにおいて、ボックス本体２１は、建物１の柱６に取り付けられていることを特徴とするものである。
【００１５】
以上において、ボックス本体の建物の柱への取付方法としては、ブラケットを介してねじ止めする方法、ブラケットを介して溶接する方法、ブラケットを使用せずに直接取り付ける方法等、どのような方法でもよい。
このような本発明では、ボックス本体が建物の躯体である柱に取り付けられるので、取付強度が大きくなり、フラワーボックスの確実な取付が保証される。
【００１６】
本発明の請求項６に記載のシャッター内蔵のフラワーボックスは、図３に示すように、請求項１〜５のいずれかにおいて、受け部材３０および水切り部材３１は取付け、取り外し可能であることを特徴とするものである。
【００１７】
このような本発明では、受け部材と水切り部材とが取付け、取り外し可能となっているので、これらが破損した際等、新しいものと容易に交換することができる。
【００１８】
本発明の請求項７に記載のシャッター内蔵のフラワーボックスは、図５に示すように、請求項１〜６のいずれかにおいて、ボックス本体２１は直方体状に形成されていることを特徴とするものである。
【００１９】
このような本発明では、製作が容易であるとともに、ボックス本体内部の鉢受け部とシャッターケースを取り付ける際の納まりがよくなる。
【００２０】
【発明の実施の形態】
以下に、本発明の実施形態を図面に基づいて説明する。
図１に示すように、本発明の第１実施形態の建物１は、下階２、その上の上階３および上階３の上方に設けられた屋根４を備えて構成されている。下階２および上階３は、図２に示すような、予め工場で生産される建物ユニット５で形成されている。従って、建物１は、複数の建物ユニット５を現場でみ合わせて構成されるユニット式建物となっている。
【００２１】
上記建物ユニット５は、四隅に立設される４本の柱６と、これらの柱６の上端間同士および可鍛間同士を結合する各４本の上梁７、下梁８を含み形成された骨組み９を備えている。そして、このような建物ユニット５には、天井面材１０，床面材１１が張られ、また、内壁１３（図３参照）や外壁１２等が予め取り付けられている。
【００２２】
このようなユニット式建物１の下階２には、図１に示すように、室内開口部である高さの高い窓部１５が設けられ、上階３にはこの窓部１５と上下方向に同列に、室内開口部である高さの低い窓部１６が設けられている。２つの窓部１５，１６の間、つまり下階２と上階３との境界部近傍には、フラワーボックス２０が設けられている。このフラワーボックス２０は、上の窓部１６の下端から下の窓部１５の上端にわたるとともに、両窓部１５，１６の幅寸法と同じ幅に形成されている。
【００２３】
図３，４に示すように、フラワーボックス２０は、ボックス本体２１を備えており、このボックス本体２１の上部には鉢受け部２２、下部にはシャッターケース２３が、それぞれ設けられている。
ボックス本体２１は、例えば、塩ビ鋼板を前面部２４Ａとこの前面部２４Ａの両端に接続される側面部２４Ｂとにより平面コ字状に折り曲げた内側部材２４と、同じように形成され、かつ、その外側に設けられる外側部材２５とを含み構成され、それぞれの上端部には蓋部材２６が被せられている。このようなボックス本体２１における内側部材２４の両側面部２４Ｂの室内側先端部には、例えばチャンネル部材で形成されたブラケット２７が、上下方向に鉢受け部２２寄りに固着されている。
【００２４】
一方、上階建物ユニット３の柱６と間柱６Ａとには、例えばチャンネル部材で形成されたブラケット２８が固着されている。そして、これらのブラケット２７，２８は、それぞれの一辺同士が上の窓部１６と下の窓部１５との間に配置された外壁１４に当接されるとともに、外壁１４に明けられた穴にブラケット２７側からボルト２９を通し、ブラケット２８側、つまり居室側からナットを螺合させることにより連結されている。このように、ボックス本体２１は外壁１４に取り付けられ、外壁１４は柱６と間柱６Ａとに固定されていることになり、フラワーボックス２０は、建物の躯体に固定されていることになる。
【００２５】
なお、外側部材２５における側面部の先端は、外壁１２と外壁１４との隙間に差し込まれている。そして、このようなボックス本体２１の幅寸法は、上記外壁１４の幅寸法と同じ寸法に形成されており、建物の製作時の基準寸法であるモジュールに対応している。
【００２６】
鉢受部２２は、図５にも示すように、例えばエキスバンドメタルで形成された受け部材である上層部材３０と、この上層上層部材３０の下方に設けられる水切り部材である水切り皿３１とを含み構成されている。
水切り皿３１は、上層部材３０からの排水を受けるとともに、下方に排出する底面部３１Ａと、この底面部３１Ａにおいて外壁１４側の一端部に立ち上げられる断面Ｌ字状の受け部３１Ｂと、底面部３１Ａの長手方向両側面に立ち上げられた側面部３１Ｃとを有して形成されている。水切り皿３１は、受け部３１Ａの上面が水平を保った状態で、外壁１４から外側に低くなる傾斜状に取り付けられるようになっている。
【００２７】
水切り皿３１の底面部３１Ａの先端部３１Ｄは、下方に傾斜状に折り曲げられるとともに、内側部材２４の前面部２４Ａとの間で所定寸法の隙間Ｓを形成するようになっており、その隙間Ｓから水を落とすことで排水が容易となるように形成されている。また、その隙間Ｓを保つために、水切り皿３１の側面部３１Ｃの長さは、底面部３１Ａの幅寸法より長くなっており、外壁１４と内側部材２４の前面部２４Ａと間の寸法よりわずかに小さな寸法に形成されている。そのため、水切り皿３１を配置したとき、側面部３１Ｃの先端が先に内側部材２４に当接するので、底面部３１Ａの先端部３１Ｄと内側部材２４の前面部２４Ａとの隙間が確保されることになる。
【００２８】
このような水切り皿３１は、外壁１４に取り付けられた２個のブラケット３３と、内側部材２４の側面部２４Ｂに取り付けられたそれぞれ１個のブラケット３４との上に載せられるようになっている。つまり、水切り皿３１は取付け、取り外しが自在にできる。
【００２９】
また、上層部材３０も取付け、取り外しが自在にできるように配置されている。すなわち、内側部材２４の前面部２４Ａにおいて前記水切り皿３１の受け部３１Ｂと同一高さ位置に、図３，５に示すように、２個のブラケット３５が固着されており、これらの受け部３１Ｂ、ブラケット３５上に、上層部材３０が載せられるようになっている。
そして、このような上層部材３０の上に、草花や木を植えた鉢やプランター等が適宜置かれることになる。
【００３０】
前記シャッターケース２３は、その室内側側面が開口する横長の角筒状に形成され、内部にシャッター３６を収納するとともに、このシャッター３６を上下にスライド可能に導くシャッターレール３７を備え、前記下階建物ユニット２の上梁７に固定されている。シャッターケース２３の長手方向の両端は、ボックス本体２１における内側部材２４の両側面部２４Ｂに当接されている。つまり、ボックス本体２１の両側面部２４Ｂがシャッターケース２３の側面を兼ねている。
【００３１】
図３，６に示すように、ボックス本体２１の下端には、鉢受部２２等から垂れ落ちる水を受け、かつ、下方に排水する排水手段４０が設けられている。
この排水手段４０は、ボックス本体２１の幅方向および奥行き方向の寸法とほぼ等しい長さ寸歩および幅寸法を有する箱状の水受け本体４１と、この水受け本体４１に接続される樋４２とを備えて構成されている。
【００３２】
水受け本体４１は、底面部４１Ａと、この底面部４１Ａの外壁１４側端部に立ち上がった背面部４１Ｂと、この背面部４１Ｂと対向し、かつ、底面部４１Ａの他端側に立ち上がった前面部４１Ｃと、これらの部材４１Ｂ，４１Ｃの両端部同士を繋ぐとともに、底面部４１Ａの長さ方向両端部に立ち上がった側面部４１Ｄとを有して形成されている。
【００３３】
前面部４１Ｃおよび両側面部４１Ｄは、前記内側部材２４の前面部２４Ｂおよび側面部２４Ａの外周に沿って差し込んだ状態で溶接して固着されている。背面部４１Ｂは、側面部４１Ｄ等より高さが低く形成されており、その上端は、シャッターケース２３の下端面に当接されるようになっている。また、底面部４１Ａは、水受け本体４１の長さ方向および幅方向とも、矢印Ｍ、Ｎで示すように、樋４２に向かってわずかに傾斜しており、そのため、底面部４１Ａに集められた水は樋４２側に流れ、底面部４１Ａに溜まらないようになっている。さらに、底面部４１Ａの一つの隅部には、四角形状の穴４１Ｅが明けられている。
【００３４】
樋４２は、四角筒状に形成されており、上記穴４１Ｅに差し込まれるとともに溶接等で固着されている。この樋４２は、シャターレール３７に沿って下方に延び、かつ、図示しない固定具により外壁１２に取り付けられている。樋４２の下部は、図１，６に示すように、基礎１７の途中まで延びている。
【００３５】
このような本実施形態では、次のような効果がある。
▲１▼ユニット式建物１の下階２と上階３との境界近傍に、上階３の柱６に取り付けられたボックス本体２１には、その上部に鉢受部２２が、下部にシャッターケース２３がそれぞれ設けられているので、ボックス本体２１を取り付けることで、鉢受部２２とシャッターケース２３とを有するフラワーボックス２０を取り付けることができる。従って、鉢受部２２とシャッターケース２３とを別個に建物１に取り付けなくてすむので、作業が繁雑とならない。
【００３６】
▲２▼ボックス本体２１には、その上部に鉢受部２２が、下部にシャッターケース２３がそれぞれ設けられており、これら２２，２３は、ボックス本体２１に隠されているので、建物において下階２と上階３との境界近傍に突出せずにすみ、外観がすっきりとまとまったユニット式建物１とすることができる。
▲３▼フラワーボックス２０は、ユニット式建物１の製作時の基準寸法であるモジュールに対応しているので、その基準寸法に従って製作すればよく、製作が容易である。
【００３７】
▲４▼フラワーボックス２０は、上階建物ユニット３の躯体である柱６、間柱６Ａに取り付けられているので、取付強度が大きくなり、フラワーボックスの確実な取付が保証される。
▲５▼フラワーボックス２０の鉢受部２２の排水は、シャッターレール３７に沿って設けられた樋４２により行われるので、花等に水やりした結果鉢受部２２から垂れ落ちる水がシャッターケース２３の上部または側面から自然落下することがなくなり、晴れた日等に例えば室内にいても気にならなくなる。
【００３８】
▲６▼鉢受部２２は、上層部材３０と水切り皿３１とを含んで構成され、これら３０，３１は取付け、取り外し可能となっているので、万一破損しても、別の新しい上層部材等と容易に取り替えることができる。
▲７▼排水手段４０の底面部４１Ａは、水受け本体４１の長さ方向（矢印Ｍ方向）および幅方向（矢印Ｎ方向）とも、樋４２に向かって下る方向にわずかに傾斜しているので、底面部４１Ａに集められた水は樋４２側に流れ、底面部４１Ａに溜まらず、樋４２の溜まった水による腐食を防止でき、長寿命化を図ることができる。
【００３９】
▲８▼フラワーボックス２０におけるボックス本体２１が、内側部材２４と外側部材２５とを有する二重構造となっているので、両部材２４，２５間に空気の層が形成され、鉢受部２２にとっての保温効果を期待でき、冬場での鉢等の最低限の保護を行える。
【００４０】
次に、本発明に係る第２実施形態を説明する。
本実施形態は、ボックス本体２１に取り付けられる排水手段５０を、前記第１実施形態の排水手段４０と異なる形態としたものである。従って、異なる部分のみを説明し、同一部分には同一符号を付して説明は省略または簡略化する。
【００４１】
図７に示すように、本実施形態の排水手段５０は、水受け本体５１と前記樋４２とを備えて構成されている。水受け本体５１は、シャッターケース２３の長手方向に沿った第１部材５１Ａと、この第１部材５１Ａの一端に一方向に突出して設けられた第２部材５１Ｂとで平面Ｌ字状に形成されている。第１，第２部材５１Ａ，５１Ｂとも断面が角Ｕ字状に形成され、それぞれの部材の外側の部材を、前記内側部材２４の前面部２４Ａよび側面部材２４Ｂの外周に沿って差し込んだ状態で溶接して固着されている。
【００４２】
このような水受け本体５１には、第１部材５１Ａから第２部材５１Ｂを経て、樋４２に至るまでが、矢印Ｍ、Ｎで示すように、緩やかに下り傾斜の水勾配が形成され、集められた水が容易に排水されるようになっている。
そして、このような水受け部材５１における第２部材５１Ｂの先端穴部に、樋４２が連結されている。
【００４３】
このような第２実施形態では、前記▲１▼〜▲８▼の効果の他、水受け部材５１を、水受け部材５１は、シャッターケース２３の長手方向に沿った第１部材５１Ａと、第２部材５１Ｂとで形成できるので、製作が容易であるとともに、少ない部材で作れるので材料の節約が可能となるというという効果が得られる。
【００４４】
なお、本発明は前記各実施形態に限定されるものではなく、本発明の目的を達成できるものであれば、次に示すような変形形態でもよいものである。
すなわち、前記各実施形態では、樋４２は角筒状に形成されているが、これに限らず、円筒状、あるいは断面蒲鉾状等でもよい。
【００４５】
また、前記各実施形態では、鉢受け部２２の水切り皿３１を、底面部３１Ａの両側に側面部３１Ｃを設けて形成したが、これに限らず、側面部３１Ｃのない形状とし、底面部３１Ａの両端を、ボックス本体２１における内側部材２４の側面部２４Ａに直接取り付けてもよい。この場合、底面部３１Ａの先端部３１Ｄと内側部材２４の前面部２４Ｂとの隙間Ｓは、前面部２４Ｂに隙間Ｓを保つ突起部材を取り付ければよい。
【００４６】
さらに、前記各実施形態では、ボックス本体２１を、内側部材２４と外側部材２５とを有する形状としたが、これに限らず、外側部材２５を取り除いた内側部材２４を有するものとしてもよい。
【００４７】
また、前記第２実施形態では、排水手段５０を構成する水受け部材５１を、角形のＵ字状としたが、これに限らず、底が半円型となったＵ字状としてもよい。このようにしても、前記効果を得ることができる。
【００４８】
【発明の効果】
以上に説明したように、本発明のシャッター内蔵のフラワーボックスによれば、ボックス本体の内部に鉢受け部と、シャッターケースとが設けられ、このボックス本体を取り付ける作業だけで鉢受け部と、シャッターケースとを同時に取り付けることができる。従って、作業が繁雑とならずにすむとともに、鉢受け部とシャッターケースとがボックス本体で隠されるので、上下に接近した位置で外壁から突出した凹凸部がなくなり、外観がすっきりとまとまった建物とすることができる。
【図面の簡単な説明】
【図１】本発明に係る第１実施形態のシャッター内蔵のフラワーボックスを取り付けたユニット式建物を示す全体図である。
【図２】前記実施形態のユニット式建物を構成する建物ユニットを示す全体斜視図である。
【図３】前記実施形態のシャッター内蔵のフラワーボックスを示す縦断面図である。
【図４】前記実施形態のシャッター内蔵のフラワーボックスを示す平面図である。
【図５】前記実施形態の鉢受け部の構造を示す分解斜視図である。
【図６】前記実施形態の排水手段を示す斜視図である。
【図７】本発明に係る第２実施形態の排水手段を示す斜視図である。
【符号の説明】
１  ユニット式建物
２  建物の下階
３  建物の上階
２０  フラワーボックス
２１  ボックス本体
２２  鉢受け部
２３  シャッターケース
４０  排水手段
４１  受け部材
４２  樋
【図１】
0004092036.tif 000002
【図２】
0004092036.tif 000003
【図３】
0004092036.tif 000004
【図４】
0004092036.tif 000005
【図５】
0004092036.tif 000006
【図６】
0004092036.tif 000007
【図７】
0004092036.tif 000008